(57)【要約】 【課題】  試料の熱シリンダーへの供給を自動で行うことが望まれている。【課題手段】  熱シリンダー１上に上下端を開口したロートノズル４を連結起立し、このロートノズル４を振動発生器に連結した固定プレート６に固定する一方、上下に移動可能とした中空のカートリッジボディ７を設け、このカートリッジボディ７を該ロートノズル４の上部がカートリッジボディ７内に挿入される形状で、ロートノズル４上に連接し、固定プレート６を振動させてカートリッジボディ７内の試料をロートノズル４を通して熱シリンダー１内に自動供給する。【選択図】  図１
2011122965.tif 000002
【特許請求の範囲】
【請求項１】
熱シリンダー上に上下端を開口したロートノズルを連結起立し、このロートノズルを振動発生器に連結した固定プレートに固定する一方、上下に移動可能とした中空のカートリッジボディを設け、このカートリッジボディを該ロートノズルの上部がカートリッジボディ内に挿入される形状で、ロートノズル上に連接し、固定プレートを振動させてカートリッジボディ内の試料をロートノズルを通して熱シリンダー内に自動供給することを特徴とする樹脂溶融装置の試料供給カートリッジ。
【請求項２】
上記カートリッジボディの上部に上下駆動機構を連結してある上記請求項１に記載の樹脂溶融装置の試料供給カートリッジ。
【請求項３】
上記カートリッジボディの上方からロートノズルを通し、熱シリンダーに達する上下動押し込み棒を設けてある上記請求項１又は２に記載の樹脂溶融装置の試料供給カートリッジ。
【発明の詳細な説明】
【技術分野】
【０００１】
本発明は、樹脂溶融装置の試料供給カートリッジに関する。
【背景技術】
【０００２】
メルトフローレイト（ＭＦＲ）測定装置、メルトボリュームレイト（ＭＶＲ）測定装置、キャピラリーレオメータ又は再生用合成樹脂熱圧着装置等の熱シリンダーを有する装置においては、ペレット状、パウダー状、フレーク状の試料又はこれら形状の異なる試料を混合して熱シリンダーに供給し、この熱シリンダーで加熱溶融された試料を試料押し込み棒により押し込み押し出すことにより測定している。
【発明の概要】
【発明が解決しようとする課題】
【０００３】
従前、この試料の熱シリンダーへの供給は手動でまたは半自動で行われており、この試料の熱シリンダーへの供給を自動で行うことが望まれているという課題がある。
【課題を解決するための手段】
【０００４】
上記課題を解決するため、本発明の樹脂溶融装置の試料供給カートリッジ
は、熱シリンダー上に上下端を開口したロートノズルを連結起立し、このロートノズルを振動発生器に連結した固定プレートに固定する一方、上下に移動可能とした中空のカートリッジボディを設け、このカートリッジボディを該ロートノズルの上部がカートリッジボディ内に挿入される形状で、ロートノズル上に連接し、固定プレートを振動させてカートリッジボディ内の試料をロートノズルを通して熱シリンダー内に自動供給することを特徴とする。
【０００５】
また、本発明の樹脂溶融装置の試料供給カートリッジは、上記カートリッジボディの上部に上下駆動機構を連結してある。
さらに、本発明の樹脂溶融装置の試料供給カートリッジは、上記カートリッジボディの上方からロートノズルを通し、熱シリンダーに達する上下動押し込み棒を設けてある。
【発明の効果】
【０００６】
本発明の樹脂溶融装置の試料供給カートリッジは、熱シリンダー上に上下端を開口したロートノズルを連結起立し、このロートノズルを振動発生器に連結した固定プレートに固定する一方、上下に移動可能とした中空のカートリッジボディを設け、このカートリッジボディを該ロートノズルの上部がカートリッジボディ内に挿入される形状で、ロートノズル上に連接し、固定プレートを振動させてカートリッジボディ内の試料をロートノズルを通して熱シリンダー内に自動供給することを特徴とするから、樹脂溶融装置の熱シリンダーに対し、試料を自動的に供給できる効果がある。また、カートリッジボディ内に収めた試料を数回に分けて熱シリンダーに自動的に供給できる効果もある。
【図面の簡単な説明】
【０００７】
【図１】本発明の樹脂溶融装置の試料供給カートリッジの断面図である。
【発明を実施するための形態】
【０００８】
図面に示した実施例により、本発明の詳細を説明する。
図中符号１が熱シリンダーで、下端にオリフィスまたはキャピラリー２をオリフィスまたはキャピラリー押え板３で装着してある。この熱シリンダー１上に上下端を開口したロートノズル４をその下端に設けた連結部５により連結起立させてある。また、このロートノズル４の下端の連結部５に振動発生器（図示せず）に連結した固定プレート６を固定してあり、振動発生器の作動によりロートノズル４を振動するようにしてある。
【０００９】
上記ロートノズル４の上位に中空のカートリッジボディ７を設けてあり、その上端に上部フランジ８を設け、その下端に下部フランジ９を設けてある。上部フランジ８にはカートリッジボス１０を捻じ込んで設けてあり、このカートリッジボス１０に上下駆動機構１１を連結してある。この上下駆動機構１１の上下作動によりカートリッジボディ７を上下に移動するようにしてある。
【００１０】
上記カートリッジボス１０の内側と下部フランジ９の内側にＯリング１２を設けてあり、上記ロートノズル４をその上部が上記カートリッジボディ７内に挿入される形状にしてカートリッジボディ７をロートノズル４上に連接してある。この構成により上下駆動機構１１の上下作動でカートロッジボディ７をロートノズル４に対して上下動するようにしてある。また、カートリッジボス１０及び上部フランジ８を貫通して試料押し込み棒１３を設けてあり、この試料押し込み棒１３がカートリッジボディ７、ロートノズル４を通して、熱シリンダー１に挿入するようにしてある。
カートリッジボディ７内に試料が収められ、固定プレート６の振動によりロートノズル４が振動し、このロートノズル４の上端開口からカートリッジボディ７内の試料が熱シリンダー１内に自動的に供給される。
【００１１】
上記カートリッジボディ７は、上下のＯリング１２によって内部が気密に保たれ、カートリッジボディ７内の試料の吸湿を防ぐことができる。
このカートリッジボディ７内に収められたペレット状、パウダー状、フレーク状の試料は、カートリッジボディ７内で固定プレート６が振動され、ロートノズル４が振動され、このロートノズル４の上端開口からロートノズル４に供給され、さらに、熱シリンダー１に供給される。
熱シリンダー１内に供給された試料は、加熱溶融され、押し込み棒１３を熱シリンダー１内に押し込んで、溶融樹脂をオリフィスまたはキャピラリー２から押し出して種々の測定を行う。
【００１２】
次いで、カートロッジボディ７を上下駆動機構１１を上動させてロートノズル４にたいして少し上動し、同様にしてロートノズル４を振動し、カートリッジボディ７内の試料をロートノズル４の上端開口からロートノズル４に供給され、さらに熱シリンダー１に供給され、同様にして測定を行う。このようにしてカートリッジボディ７内の試料を数回に分けて熱シリンダー１に供給することができるため、熱シリンダー１内で溶融した試料に空気の混入を防ぐことができる。
【符号の説明】
【００１３】
１    熱シリンダー
２    オリフィスまたはキャピラリー
３    オリフィスまたはキャピラリー押え板
４    ロートノズル
５    連結部
６    固定プレート
７    カートリッジボディ
８    上部フランジ
９    下部フランジ
１０  カートリッジボス
１１  上下駆動機構
１２  Ｏリング
１３  押し込み棒
【図１】
2011122965.tif 000003